(57)【要約】【課題】原液のろ過を停止することなくケーキをフィルタから剥離することができるろ過装置を提供する。【解決手段】複数のフィルタ４が、原液室１０に設けられている。下切替弁板５、上切替弁板６及び流体管７がろ液室１１に設けられている。また、下切替弁板５、上切替弁板６及び流体管７を移動させる駆動機構８が設けられている。フィルタ４は、下切替弁板５、上切替弁板６及び流体管７によって、ろ過状態と逆加圧状態になることができる。ろ過状態のフィルタ４は、その内部が、下仕切板２の下通過孔２０を通じてろ液室１１と連通し、かつ、加圧流体室１２とは非連通である。逆加圧状態のフィルタ４は、その内部が、ろ液室１１と非連通であり、かつ、下通過孔２０、流体管７、及び、上仕切板３の上通過孔３０を通じて加圧流体室１２と連通する。逆加圧状態になるフィルタ４は、駆動機構８によって切り替わるようになっている。【選択図】図１
2018034123.tif 000002
【特許請求の範囲】
【請求項１】
原液をろ過してろ液及びケーキを得るろ過装置であって、
ハウジングと、
前記ハウジングの内部に設けられた下仕切板と、
前記下仕切板から上方に間隔をあけて前記ハウジングの内部に設けられた上仕切板と、を備え、
前記ハウジングの内部は、前記上仕切板と前記下仕切板との間にある、前記ろ液が排出されるろ液室と、前記ろ液室の下側に位置する、前記原液が供給される原液室と、前記ろ液室の上側に位置する、加圧流体が供給される加圧流体室と、を有し、さらに、
前記原液室に設けられて、上端部で前記下仕切板に接続された複数の筒形状のフィルタと、
前記フィルタのそれぞれに対して前記下仕切板に形成された下通過孔と、
前記フィルタのそれぞれに対して前記上仕切板に形成された上通過孔と、
前記フィルタの内部と前記ろ液室との前記下通過孔を通じた連通状態を切り替えるために、前記ろ液室に設けられて前記下仕切板に当接する下切替弁板と、
前記フィルタの内部と前記加圧流体室との前記下通過孔及び前記上通過孔を通じた連通状態を切り替えるために、前記ろ液室に設けられて前記上仕切板に当接する上切替弁板と、
前記加圧流体を前記加圧流体室から前記フィルタの内部へ供給するために、下端部で下切替弁板に接続され、上端部で前記上切替弁板に接続された流体管と、
前記下切替弁板、前記上切替弁板、及び、前記流体管を一体的に移動させるための駆動機構と、を備え、
前記各フィルタは、前記下切替弁板と、前記上切替弁板と、前記流体管とによって、
その内部が、前記下通過孔を通じて前記ろ液室と連通し、かつ、前記加圧流体室とは非連通であるろ過状態、及び、その内部が、前記ろ液室と非連通であり、かつ、前記下通過孔、前記流体管、及び前記上通過孔を通じて前記加圧流体室と連通する逆加圧状態になることができ、
前記下切替弁板、前記上切替弁板、及び、前記流体管が前記駆動機構によって移動されることにより、前記逆加圧状態になる前記フィルタが切り替わるように構成されている、
ことを特徴とするろ過装置。
【請求項２】
前記駆動機構は、
前記ハウジングの内外にのび、前記加圧流体室を通って前記ろ液室まで達し、前記下切替弁板及び前記上切替弁板が取り付けられた駆動軸と、
前記ハウジングの外部に設けられ、前記駆動軸を回転させるための駆動モータと、を備える、
ことを特徴とする請求項１に記載のろ過装置。
【請求項３】
前記駆動機構は、
前記ろ液室に圧縮状態で配置されて、前記下切替弁板を前記下仕切板に押し付けるとともに前記上切替弁板を前記上仕切板に押し付けるスプリングをさらに備える、
ことを特徴とする請求項２に記載のろ過装置。
【発明の詳細な説明】
【技術分野】
【０００１】
本発明は、筒状のフィルタの外周面に付着しているケーキ（固形物）を加圧流体によって剥離する機構を有するろ過装置に関する。
【背景技術】
【０００２】
この種の装置は、例えば特許文献１に開示されている。ろ過装置は、例えば、ハウジングと、ハウジング内に設けられて上下方向にのびる複数の円筒形状のフィルタと、ハウジングを貫通するように設けられ、各フィルタの上端部が接続されたろ液回収管と、を備えている。
【０００３】
原液は、ハウジング内に導入されると、フィルタを外側から内側に通過することによりろ過される。原液がフィルタによってろ過されると、フィルタの内部にろ液が得られ、フィルタの外部にケーキ（固形物）が得られる。
【０００４】
各フィルタの内部のろ液は、ろ液回収管へ流れて合流し、ろ液回収管を通じてハウジングの外部へ排出される。一方、ケーキは、ハウジング内に溜まっていく。ある程度の量のケーキがハウジング内に溜まった段階で、ハウジングの下部のケーキ回収口が開放され、ケーキは、ケーキ回収口を通じてハウジングの外部へ排出され、回収される。
【０００５】
ところで、ろ過運転が継続すると、ケーキはフィルタの外周面に付着して堆積するため、ろ過能力が低下していき、最終的には、原液を全くろ過できない状態になってしまう。そこで、ろ過装置は、原液をある程度ろ過した段階で、一度、原液の供給を止める。そして、ろ過装置は、圧縮エアをろ液回収管から逆流させて各フィルタの内部へ供給し、当該フィルタの内側から外側へ通過させる。それによって、各フィルタの外周面に付着しているケーキが圧縮エアによって剥離され、フィルタが再生処理される。それから、ろ過装置は、原液の供給を再開して原液をろ過する。
【０００６】
このように、従来のろ過装置は、フィルタに付着したケーキを剥離するために一度ろ過運転を停止しなければならなかった。
【先行技術文献】
【特許文献】
【０００７】
【特許文献１】特開平０７−２５１０１６号公報
【発明の概要】
【発明が解決しようとする課題】
【０００８】
そこで、本発明は、原液のろ過を停止することなくケーキをフィルタから剥離することができるろ過装置を提供する。
【課題を解決するための手段】
【０００９】
本発明は、原液をろ過してろ液及びケーキを得るろ過装置であって、ハウジングと、前記ハウジングの内部に設けられた下仕切板と、前記下仕切板から上方に間隔をあけて前記ハウジングの内部に設けられた上仕切板と、を備える。
前記ハウジングの内部は、前記上仕切板と前記下仕切板との間にある、前記ろ液が排出されるろ液室と、前記ろ液室の下側に位置する、前記原液が供給される原液室と、前記ろ液室の上側に位置する、加圧流体が供給される加圧流体室と、を有する。
さらに、ろ過装置は、
前記原液室に設けられて、上端部で前記下仕切板に接続された複数の筒形状のフィルタと、
前記フィルタのそれぞれに対して前記下仕切板に形成された下通過孔と、
前記フィルタのそれぞれに対して前記上仕切板に形成された上通過孔と、
前記フィルタの内部と前記ろ液室との前記下通過孔を通じた連通状態を切り替えるために、前記ろ液室に設けられて前記下仕切板に当接する下切替弁板と、
前記フィルタの内部と前記加圧流体室との前記下通過孔及び前記上通過孔を通じた連通状態を切り替えるために、前記ろ液室に設けられて前記上仕切板に当接する上切替弁板と、
前記加圧流体を前記加圧流体室から前記フィルタの内部へ供給するために、下端部で下切替弁板に接続され、上端部で前記上切替弁板に接続された流体管と、
前記下切替弁板、前記上切替弁板、及び、前記流体管を一体的に移動させるための駆動機構と、を備える。
前記各フィルタは、前記下切替弁板と、前記上切替弁板と、前記流体管とによって、
その内部が、前記下通過孔を通じて前記ろ液室と連通し、かつ、前記加圧流体室とは非連通であるろ過状態、及び、その内部が、前記ろ液室と非連通であり、かつ、前記下通過孔、前記流体管、及び前記上通過孔を通じて前記加圧流体室と連通する逆加圧状態になることができる。
前記下切替弁板、前記上切替弁板、及び、前記流体管が前記駆動機構によって移動されることにより、前記逆加圧状態になる前記フィルタが切り替わるように構成されている。
【００１０】
前記駆動機構は、
前記ハウジングの内外にのび、前記加圧流体室を通って前記ろ液室まで達し、前記下切替弁板及び前記上切替弁板が取り付けられた駆動軸と、
前記ハウジングの外部に設けられ、前記駆動軸を回転させるための駆動モータと、を備えてもよい。
【００１１】
前記駆動機構は、
前記ろ液室に圧縮状態で配置されて、前記下切替弁板を前記下仕切板に押し付けるとともに前記上切替弁板を前記上仕切板に押し付けるスプリングをさらに備えてもよい。
【発明の効果】
【００１２】
本発明に係るろ過装置は、原液室に供給された原液を、ろ過状態のフィルタの外側から内側へ通過させることによってろ過し、それによって当該フィルタの内部に得られたろ液を、下通過孔を通ってろ液室へ排出することができる。また、ろ過装置は、加圧流体室に供給された加圧流体を、上通過孔、流体管、及び下通過孔を通じて逆加圧状態のフィルタの内部へ供給し、それから当該フィルタの内側から外側へ通過させ、それによって、原液のろ過時に当該フィルタの外周面に付着したケーキを剥離することができる。そして、逆加圧状態になるフィルタは、駆動機構によって切り替るようになっている。
【００１３】
即ち、ろ過装置は、原液を一部のフィルタによってろ過しながら、ケーキを残りのフィルタの外周面から加圧流体によって剥離することができ、しかも、ケーキが剥離されるフィルタを、駆動機構によって切り替えていくことができる。従って、ケーキの剥離のために原液の供給を停止する必要はない。
【図面の簡単な説明】
【００１４】
【図１】本発明の一実施形態に係るろ過装置のハウジングの内部構造を概略的に示す縦断面図である。
【図２】図１のろ過装置の駆動機構を部分的かつ概略的に示す図である。
【図３】図３Ａは、フィルタの一例を示す図１の領域Ｔの拡大断面図であり、図３Ｂは、フィルタの他例を示す横断面図である。
【図４】下切替弁板及び上切替弁板が回転する様子を示す平面図である。
【図５】図５Ａ、図５Ｂは、他の実施形態に係る下切替弁板及び上切替弁板を示す平面図である。
【発明を実施するための形態】
【００１５】
以下、図面を参照して、本発明に係るろ過装置の一実施形態について説明する。
図１を参照して、ろ過装置は、円筒形状のハウジング１を備える。ハウジング１は、その長手方向が上下方向となるように支持台（不図示）に支持されている。
【００１６】
ろ過装置は、ハウジング１の内部に設けられてハウジング１に対して固定された下仕切板２及び上仕切板３を備える。上仕切板３は、下仕切板２から上方に所定の間隔をあけて配置されている。
【００１７】
ハウジング１の内部は、下仕切板２と上仕切板３とによって、原液室１０、ろ液室１１、及び、加圧流体室１２に仕切られている。ろ液室１１は、下仕切板２と上仕切板３との間に形成される。原液室１０は、ろ液室１１と下仕切板２側で隣接するように形成され、ろ液室１１の下方に位置する。加圧流体室１２は、ろ液室１１と上仕切板３側で隣接するように形成され、ろ液室１１の上方に位置する。
【００１８】
原液室１０の側壁に原液供給路１３が接続されている。原液供給路１３の上流には、固体を含む原液を圧入するための原液供給手段として不図示の原液用ポンプが設けられている。原液は、原液用ポンプによって、原液供給路１３を通じてハウジング１の外部から原液室１０へ供給される。
【００１９】
また、図示されていないが、原液室１０の下部にはケーキ排出口が形成され、さらに、当該ケーキ排出口を開閉するための開閉弁が設けられている。ケーキ排出口が開閉弁によって開けられると、後述するように得られた原液室１０内のケーキが、ケーキ排出口を通じてハウジング１の外部へ排出される。ケーキ排出口が開閉弁によって閉じられると、ケーキは原液室１０内に溜められる。
【００２０】
ろ液室１１の側壁にろ液排出路１４が接続されている。後述するように得られたろ液室１１内のろ液は、ろ液排出路１４を通じてハウジング１の外部へ排出される。
【００２１】
加圧流体室１２の側壁に加圧流体供給路１５が接続されている。加圧流体供給路１５の上流には、加圧流体を供給する加圧流体供給手段が設けられている。本実施形態では、加圧流体として圧縮エアが採用されており、加圧流体供給手段として不図示のエア用ポンプが採用されている。圧縮エアは、エア用ポンプによって、加圧流体供給路１５を通じてハウジング１の外部から加圧流体室１２へ供給される。なお、圧力ゲージ１６が、加圧流体室１２の圧力を測定するために設けられている。
【００２２】
ろ過装置は、複数のろ過用の円筒形状のフィルタ４を原液室１０に備えている。フィルタ４は、その外周面が一次側面（未ろ過側面）となるように、その内周面が二次側面（既ろ過側面）となるように構成されている。フィルタ４は、上下方向にのびるように、かつ、ハウジング１の長手方向の中心線Ｘを中心に等角度間隔で配置されている。本実施形態では、６本のフィルタ４Ａ〜Ｆが、６０°間隔で配置されている。各フィルタ４は、その上端部で下仕切板２に接続部２１を介して接続されている。各フィルタ４は、その上端が開かれ、その下端が閉じられている。
【００２３】
図３Ａは、図１の領域Ｔの拡大断面図である。フィルタ４は、本実施形態では、横断面がクサビ形状のウェッジワイヤ４０が所定のピッチで螺旋状に巻かれることにより構成された円筒形状のウェッジワイヤフィルタである。このウェッジワイヤフィルタは、ウェッジワイヤ４０の隙間によってろ過用のスリットＳが形成されている。
【００２４】
また、フィルタ４は、上記に代えて、図３Ｂの横断面図の通り、円周上に互いに間隔をあけて並べて配置され上下方向にのびる断面がクサビ形状の複数のウェッジワイヤ４０を有し、隣接するウェッジワイヤ４０の隙間によって上下方向にのびるスリットＳが形成されたウェッジワイヤフィルタでもよい。
【００２５】
なお、フィルタ４は、ウェッジワイヤフィルタ以外のものでも当然よい。また、フィルタ４は、上記では円筒形状であるが、多角筒形状のように他の筒形状でもよい。
【００２６】
下仕切板２には複数の下通過孔２０が形成されている。下通過孔２０は、フィルタ４のそれぞれに対して設けられ、対応するフィルタ４の真上に位置している。上仕切板３には複数の上通過孔３０が形成されている。上通過孔３０は、フィルタ４のそれぞれに対して設けられ、対応するフィルタ４の真上に位置している。即ち、本実施形態では、下通過孔２０及び上通過孔３０は、中心線Ｘを中心に６０°間隔で形成されている。
【００２７】
ろ過装置は、ろ液室１１に配置されて下仕切板２に当接する円盤形状の下切替弁板５と、ろ液室１１に配置されて上仕切板３に当接する円盤形状の上切替弁板６とを備える。下切替弁板５は、フィルタ４の内部とろ液室１１との下通過孔２０を通じた連通状態を切り替えるためのものである。上切替弁板６は、後述するように、フィルタ４の内部と加圧流体室１２との下通過孔２０及び上通過孔３０を通じた連通状態を切り替えるためのものである。
【００２８】
ろ過装置は、ろ液室１１に流体管７を備えている。本実施形態では、一本の流体管７が設けられている。流体管７は、上下方向にのびており、その下端部で下切替弁板５に接続され、その上端部で上切替弁板６に接続されている。流体管７は、圧縮エアを加圧流体室１２からフィルタ４の内部へ供給するためのものである。
【００２９】
ろ過装置は、下切替弁板５、上切替弁板６、及び、流体管７を一体的に移動させる、具体的には中心線Ｘ周りに回転させるための駆動機構８を備える。
【００３０】
駆動機構８は、駆動軸８０を備える。駆動軸８０は、中心線Ｘ上において上下方向に、かつ、ハウジング１の内外にのびている。駆動軸８０は、その下端部が加圧流体室１２を通ってろ液室１１にまで達している。駆動軸８０は、上仕切板３、及び、ハウジング１の上壁１７に、回転可能にかつシール性が確保されるように受容されている。下切替弁板５及び上切替弁板６は、それぞれ、その中心において駆動軸８０に取り付けられている。
【００３１】
また、駆動機構８は、スプリング８１を備えている。スプリング８１は、圧縮状態でろ液室１１に配置されている。それによって、スプリング８１は、下切替弁板５を下仕切板２に押し付けるとともに、上切替弁板６を上仕切板３に押し付けている。
【００３２】
図２の通り、駆動機構８は、ハウジング１の外部に、駆動軸８０を回転させるためのモータ８２を備える。モータ８２の出力軸は、駆動軸８０の上端部とカップリング８３を介して連結されている。
【００３３】
モータ８２が駆動すると駆動軸８０がハウジング１に対して回転し、それによって、下切替弁板５及び上切替弁板６は、スプリング８１の押圧ゆえに下仕切板２及び上仕切板３をそれぞれ摺動しながら、駆動軸８０の周りに、即ち、中心線Ｘの周りに回転する。そして、流体管７は、両切替弁板５、６に取り付けられているので、これらと共に回転する。
【００３４】
さらに、図２の通り、駆動機構８は、駆動軸８０の回転角度を制御するために、駆動軸８０に取り付けられた検出部材８４、検出部材８４の検出によって駆動軸８０の回転角度を検出するための検出センサ８５、所定の時間の経過を検知するタイマー等を備える。それによって、本実施形態では、駆動軸８０は、所定の時間を経過する度に、所定の角度（具体的には６０°）で回転する。なお、駆動軸８０の回転角度を制御する構成は、実登３１９９００７に開示された構成と同様であるため、その詳細な説明は省略される。
【００３５】
図４に、本実施形態に係る下切替弁板５及び上切替弁板６の平面図が示されている。
図４（１）の通り、下切替弁板５には、１つの下挿通孔５０と５つの連通孔５１が形成されている。これらの孔５０、５１の合計は、フィルタ４の数と同じで６つである。そして、これらの孔５０、５１は、駆動軸８０（中心線Ｘ）を中心に６０°間隔で形成されている。そして、上切替弁板６には、１つの上挿通孔６０が形成されている。この上挿通孔６０は、下挿通孔５０と同じ角度位置に形成されている。そして、流体管７は、下端部が下挿通孔５０に差し込まれ、上端部が上挿通孔６０に差し込まれている。
【００３６】
図１の左半分、図４（１）の通り、６本のフィルタ４Ａ〜Ｆのうち、５本のフィルタ４Ｂ〜Ｆの真上に、下切替弁板５の連通孔５１が位置している。それによって、これらのフィルタ４Ｂ〜Ｆの内部は、下通過孔２０、連通孔５１を通じてろ液室１１と連通する。そして、加圧流体室１２とろ液室１１との上通過孔３０を通じた連通は、上切替弁板６によって遮断されているので、フィルタ４Ｂ〜Ｆの内部は、加圧流体室１２とは連通していない。以下、このフィルタ４の状態をろ過状態とする。
【００３７】
一方、図１の右半分、図４（１）の通り、残りのフィルタ４Ａは、その真上に下切替弁板５の連通孔５１が位置しておらず、代わりに、流体管７が位置している。この流体管７が、フィルタ４Ａに対応する下通過孔２０と上通過孔３０とをつなげる。それによって、フィルタ４Ａの内部は、ろ液室１１と連通せずに、下通過孔２０、流体管７、及び、上通過孔３０を通じて加圧流体室１２と連通する。以下、このフィルタ４の状態を逆加圧状態とする。
【００３８】
このように、フィルタ４は、ろ過状態と逆加圧状態の２つの状態になることができる。
【００３９】
以下、ろ過装置の動作について説明する。
固体を含む原液が、原液用ポンプによって原液供給路１３を通じて原液室１０に供給されるとともに、圧縮エアが、エア用ポンプによって加圧流体供給路１５を通じて加圧流体室１２に供給される。なお、原液室１０の下部のケーキ排出口は開閉弁によって閉じられている。
【００４０】
図１、図４（１）の状態において、原液は、原液室１０に供給されると、ろ過状態のフィルタ４Ｂ〜Ｆを外側から内側へ通過することによりろ過される。この原液のろ過によって、これらのフィルタ４Ｂ〜Ｆの外部にケーキが得られ、内部にろ液が得られる。
【００４１】
そして、各フィルタ４Ｂ〜Ｆの内部に得られたろ液は、下通過孔２０、連通孔５１を通ってろ液室１１へ排出されて合流し、それから、ろ液排出路１４を通ってハウジング１の外部へ排出され、回収される。
【００４２】
なお、原液のろ過が継続すると、ケーキがフィルタ４Ｂ〜Ｆの外周面に付着し堆積していき、フィルタ４Ｂ〜Ｆのろ過能力を低下させるものである。
【００４３】
一方、圧縮エアは、加圧流体室１２に供給されると、上通過孔３０、流体管７、下通過孔２０を通って、逆加圧状態のフィルタ４Ａの内部に供給される。それから、圧縮エアは、フィルタ４Ａを内側から外側に通過する。それによって、フィルタ４Ａの外周面に付着しているケーキは剥離され、フィルタ４Ａのろ過能力が再生する。こうして、逆加圧状態のフィルタ４Ａでは、原液のろ過は行なわれず、圧縮エアが原液の通過方向とは逆方向に通過して、ろ過状態時の原液のろ過によって付着したケーキが剥離される。なお、フィルタ４Ａを通過した圧縮エアは、その後、ろ過状態のフィルタ４Ｂ〜Ｆ、ろ液室１１、ろ液排出路１４を順に通り、ろ液とともにハウジング１の外部へ排出される。
【００４４】
駆動機構８は、所定の時間経過後に、下切替弁板５、上切替弁板６、及び、流体管７を一体的に６０°回転させる。それによって、図４（２）から明らかな通り、フィルタ４Ａの真上に連通孔５１が位置し、フィルタ４Ｂの真上に流体管７が位置する。即ち、フィルタ４Ａは、逆加圧状態からろ過状態に切り替わり、原液をろ過する。一方のフィルタ４Ｂは、ろ過状態から逆加圧状態に切り替り、圧縮エアによってその外周面に付着しているケーキが剥離される。なお、フィルタ４Ｃ〜Ｆは、その真上に連通孔５１が位置しているのでろ過状態のままである。
【００４５】
次いで、駆動機構８によって、所定時間の経過後に、下切替弁板５、上切替弁板６、及び、流体管７が一体的に６０°回転すると、図４（３）から明らかな通り、フィルタ４Ｃは、ろ過状態から逆加圧状態に切り替わるとともに、フィルタ４Ｂは、逆加圧状態からろ過状態に切り替わる。以下、同様にして、駆動機構８によって、逆加圧状態になるフィルタ４が順次切り替えられ、各フィルタ４に対するケーキの剥離が順次行なわれる。
【００４６】
剥離されたケーキは、原液室１０の下部に落ちて溜まっていく。ケーキがある程度溜まった段階で、原液及び圧縮エアの供給が一度止められ、原液室１０の下部のケーキ回収口が開閉弁によって開かれ、ケーキがケーキ回収口を通じてハウジング１の外部へ排出され、回収される。その後、ケーキ回収口が閉じられ、再び、原液及び圧縮エアの供給が始まり、上記のように、原液のろ過とケーキの剥離が行われる。
【００４７】
本発明に係るろ過装置は、上記の通り、原液を一部のフィルタ４によってろ過しながら、残りのフィルタ４の外周面に付着しているケーキを圧縮エアによって剥離することができ、しかも、ケーキが剥離されるフィルタ４を駆動機構８によって切り替えることができる。従って、従来のように、ケーキを剥離する際に原液の供給を停止しなくてよい。
【００４８】
以上、本発明に係るろ過装置の好ましい実施形態について説明したが、本発明は、上記の実施形態に限定されるものではない。
例えば、上記実施形態では、６本のフィルタ４が設けられていたが、２〜５本のフィルタ４、７本以上のフィルタ４が設けられてもよい。
【００４９】
なお、上記実施形態では、下切替弁板５に複数の連通孔５１が形成され、連通孔５１は、それぞれ、１本のフィルタ４の内部をろ液室１１と連通させていた。例えば、これに代えて、図５Ａの通り、駆動軸８０を中心とする円弧状の１つの連通孔５１が下切替弁板５に形成されてもよい。この連通孔５１は、複数（５本）のフィルタ４の内部をまとめてろ液室１１と連通させることができる。
【００５０】
また、上記実施形態では、１本の流体管７が設けられていたが、これに代えて、２本以上の流体管７が設けられ、複数のフィルタ４が同時に逆加圧状態になる構成が採用されてもよい。一例として、図５Ｂの通り、２つの下挿通孔５０が下切替弁板５に形成され、２つの上挿通孔６０が上切替弁板６に形成されて、２つの流体管７がそれぞれ両切替弁板５、６に接続されている。図５Ｂによれば、２本のフィルタ４の内部へ同時に加圧流体室１２から圧縮エアを供給することができる。それにより、４本のフィルタ４によって原液をろ過しながら、残りの２本のフィルタ４の外周面に付着したケーキを剥離できる。
【００５１】
上記実施形態では、ケーキを剥離するための加圧流体は圧縮エアであったが、これに代えて例えば高圧水のような液体でもよい。
【符号の説明】
【００５２】
１  ハウジング
１０  原液室
１１  ろ液室
１２  加圧流体室
２  下仕切板
２０  下連通孔
３  上仕切板
３０  上連通孔
４  フィルタ
５  下切替弁板
５０  下挿通孔
５１  連通孔
６  上切替弁板
６０  上挿通孔
７  流体管
８  駆動機構
８０  駆動軸
８１  スプリング
８２  モータ
【図１】
2018034123.tif 000003
【図２】
2018034123.tif 000004
【図３】
2018034123.tif 000005
【図４】
2018034123.tif 000006
【図５】
2018034123.tif 000007